(57)【要約】【課題】ＶｏＩＰ環境でエコー信号が発生しても、正常にファクシミリ通信を行えるようにする。【解決手段】ファクシミリ装置は、通信部、制御部を含む。通信部は、ファクシミリ通信を行うためのモデムを含む。モデムは、第１モードと第２モードの何れかのモードで動作する。第１モードは制御信号の送受信で用いられる。第２モードは、画像信号の送受信で用いられる。通信部がＣＦＲ信号を送信側ファクシミリ装置に送信したとき、制御部は、送信側ファクシミリ装置からエコー対策信号を受信するまで、モデムを第１モードで維持する。エコー対策信号を受信したとき、制御部はモデムを第２モードとする。【選択図】図６
2019146005.tif 000002
【特許請求の範囲】
【請求項１】
ファクシミリ通信を行うためのモデムを含み、送信側ファクシミリ装置と信号の送受信を行う通信部と、
前記通信部を制御する制御部と、を備え、
前記モデムは、第１モードと第２モードの何れかのモードで動作し、
前記第１モードは、前記ファクシミリ通信における予め定められた制御信号の送受信で用いられるモードであり、
前記第２モードは、画像信号の送受信で用いられるモードであり、
前記通信部が前記制御信号の一種であるＣＦＲ信号を前記送信側ファクシミリ装置に送信したとき、
前記制御部は、前記通信部がエコー対策信号を前記送信側ファクシミリ装置から受信するまで、前記モデムを前記第１モードで維持し、
前記エコー対策信号は、前記ＣＦＲ信号の受信と前記画像信号の送信開始を知らせる前記制御信号の一種であって前記モデムが前記第１モードのときに受信可能な信号であり、
前記通信部が前記送信側ファクシミリ装置からの前記エコー対策信号を受信したとき、前記制御部は、前記モデムを前記第２モードとすることを特徴とするファクシミリ装置。
【請求項２】
前記ＣＦＲ信号を送信してから前記エコー対策信号を受信する前に、前記送信側ファクシミリ装置から再送された前記制御信号を前記通信部が受信したとき、
前記制御部は、前記送信側ファクシミリ装置に向けて、前記ＣＦＲ信号を前記通信部に再送させることを特徴とする請求項１に記載のファクシミリ装置。
【請求項３】
前記エコー対策信号は、予め定められたパターンのビット列である特定データを含み、
前記送信側ファクシミリ装置への前記ＣＦＲ信号の送信後、前記通信部が前記特定データを受信したとき、
前記制御部は、前記エコー対策信号を受信したと判定することを特徴とする請求項１又は２に記載のファクシミリ装置。
【請求項４】
前記制御部は、
前記ＣＦＲ信号の送信前に、前記送信側ファクシミリ装置に向けて、前記エコー対策信号に対応していることを前記通信部に通知させ、
前記通信部がエコー対策を取るべき指示を前記送信側ファクシミリ装置から受信したとき、前記ＣＦＲ信号の送信後、前記通信部が前記エコー対策信号を受信するまで、前記モデムのモードを前記第１モードで維持し、
前記通信部が前記送信側ファクシミリ装置からエコー対策を取るべき指示を受信しないとき、前記ＣＦＲ信号の送信後、直ちに前記モデムのモードを前記第２モードにすることを特徴とする請求項１乃至３の何れか１項に記載のファクシミリ装置。
【請求項５】
受信側ファクシミリ装置と信号の送受信を行う通信部と、
前記通信部を制御する制御部と、を含み、
前記通信部が前記受信側ファクシミリ装置からＣＦＲ信号を受信したとき、
前記制御部は、
前記受信側ファクシミリ装置に向けて、エコー対策信号を前記通信部に送信させ、
前記エコー対策信号を送信してから画像信号の送信を前記通信部に開始させ、
前記エコー対策信号は、前記ＣＦＲ信号の受信と前記画像信号の送信開始を知らせる制御信号の一種であることを特徴とするファクシミリ装置。
【請求項６】
前記制御部は、前記ＣＦＲ信号よりも長い前記エコー対策信号を前記通信部に送信させることを特徴とする請求項５に記載のファクシミリ装置。
【請求項７】
前記制御部は前記エコー対策信号に予め定められたパターンのビット列である特定データを含ませることを特徴とする請求項６に記載のファクシミリ装置。
【請求項８】
前記制御部は、前記エコー対策信号の先頭と末尾のそれぞれに前記特定データを付すことを特徴とする請求項７に記載のファクシミリ装置。
【請求項９】
前記制御部は、
前記受信側ファクシミリ装置との通信に基づき、前記受信側ファクシミリ装置が前記エコー対策信号に対応しているか否かを判定し、
前記受信側ファクシミリ装置が前記エコー対策信号に対応していると判定した場合、前記ＣＦＲ信号を受信したとき、前記エコー対策信号を前記送信側通信部に送信させ、前記エコー対策信号の送信後に前記画像信号の送信を前記通信部に行わせ、
前記受信側ファクシミリ装置が前記エコー対策信号に対応していないと判定した場合、前記通信部が前記ＣＦＲ信号を受信したとき、前記エコー対策信号を送信せずに、前記受信側ファクシミリ装置に向けて、前記画像信号の送信を前記通信部に開始させることを特徴とする請求項５乃至８の何れか１項に記載の送信側ファクシミリ装置。
【請求項１０】
送信側ファクシミリ装置と受信側ファクシミリ装置と、を備え、
前記送信側ファクシミリ装置は、
前記受信側ファクシミリ装置と信号の送受信を行う送信側通信部と、
前記送信側通信部を制御する送信側制御部と、を備え、
前記受信側ファクシミリ装置は、
受信側モデムを含み、前記送信側ファクシミリ装置と信号の送受信を行う受信側通信部と、
前記受信側通信部を制御する受信側制御部と、を備え、
前記受信側モデムは、第１モードと第２モードの何れかのモードで動作し、
前記第１モードは、ファクシミリ通信における予め定められた制御信号の送受信で用いられるモードであり、
前記第２モードは、画像信号の送受信で用いられるモードであり、
前記送信側通信部が前記受信側通信部から送信された前記制御信号の一種であるＣＦＲ信号を受信したとき、
前記送信側制御部は、
前記受信側ファクシミリ装置に向けて、エコー対策信号を前記送信側通信部に送信させ、
前記エコー対策信号を送信してから前記画像信号の送信を前記送信側通信部に開始させ、
前記受信側制御部は、
前記ＣＦＲ信号の送信後、前記受信側通信部が前記エコー対策信号を前記送信側ファクシミリ装置から受信するまで、前記受信側モデムのモードを前記第１モードで維持し、
前記受信側通信部が前記送信側ファクシミリ装置から前記エコー対策信号を受信したとき、前記受信側モデムを前記第２モードとし、
前記エコー対策信号は、前記ＣＦＲ信号の受信と前記画像信号の送信開始を知らせる前記制御信号の一種であって前記受信側モデムが前記第１モードのときに受信可能な信号であることを特徴とするファクシミリ通信システム。
【発明の詳細な説明】
【技術分野】
【０００１】
本発明は、受信側のファクシミリ装置、送信側のファクシミリ装置、これらのファクシミリ装置を含むファクシミリ通信システムに関する。
【背景技術】
【０００２】
ファクシミリ装置は、相手方に送信した信号のエコー（エコー信号）を受信することがある。相手方装置が送信した信号とエコー信号が重畳することがある。また、エコー信号が画像信号に影響を与える場合もある。ファクシミリ通信におけるエコーに対応するための技術の一例が特許文献１に記載されている。
【０００３】
特許文献１には、送信側端末から受信した信号の受信レベルを検出し、第１信号（ＤＣＳ信号）の受信レベルを記憶し、第１信号の受信後、送信側端末から受信した第２信号（ＣＦＲ信号）の受信レベルが第１信号の受信レベルより小さいとき、第２信号を無視して次の信号受信手順に移行させるファクシミリ装置が記載されている。送信側端末から受信した第２信号の受信レベルがＤＣＳ信号の受信レベルより小さいとき、当該信号をエコーであるとみなし、無視する（特許文献１：請求項１、段落［００２１］等参照）。
【先行技術文献】
【特許文献】
【０００４】
【特許文献１】特開２００９−０８１５９４号公報
【発明の概要】
【発明が解決しようとする課題】
【０００５】
出力インピーダンスと入力インピーダンスとの整合がとれていないとき、信号の反射が生ずる。回線とファクシミリ装置との間のインピーダンスの整合が取れていないことがある。この場合、送信した信号の反射が生じ、反射した信号がエコー信号として戻ってくることがある。エコー信号は、送信した信号と同様のサイズ（長さ）、データである。つまり、信号を受信するファクシミリ装置で反射されたエコー信号が、信号を送信したファクシミリ装置まで戻ることがある。
【０００６】
ここで、ファクシミリ通信に用いられるモデムは、複数のモードを有する。ファクシミリ通信では、ＩＴＵ−Ｔ勧告Ｖ．２１に準拠したモード（制御信号用のモード）で、制御信号が伝送される。また、ＩＴＵ−Ｔ勧告Ｖ．１７又はＶ．２９に準拠したモード（画像信号用のモード）でトレーニング用の信号や画像データ（画像信号）が伝送される。画像信号のデータは大きいので、画像信号用のモードの通信速度は、制御信号用のモードの通信速度よりも速い。
【０００７】
制御信号を受信するとき、モデムのモードは制御信号用のモードとなる。画像信号のやりとりを開始するとき、モデムのモードは画像信号用モードとなる。画像信号用モードと制御信号用モードには互換性がない。なお、制御信号の取りこぼしを防ぐため、ファクシミリ規格では、画像信号用モードのとき、制御信号用モードで伝送される制御信号を受信したとき、モデムのモードを制御信号用モードとする制御が一般的である。
【０００８】
受信側のファクシミリ装置は、画像信号の受信段階に到ったとき、モデムのモードを画像信号用モードに自動的に切り替える。しかし、画像信号用モードにした後に、受信側のファクシミリ装置は、自身が発した制御信号のエコー信号を受信することがある。この場合、エコー信号を相手機が送信した制御信号と誤認することがある。そして、受信側のファクシミリ装置は、モデムのモードを制御信号用モードに再度切り替えることがある。エコー信号によるモードの再切替により、画像信号を受信できなくなる。
【０００９】
近年では、ＶｏＩＰ（ボイス  オーバー  インターネット  プロトコル）アダプターとファクシミリ装置を接続することがある。この場合、ネットワーク回線を用いて信号がやりとりされる。従来、ファクシミリ装置は、電話回線と接続されていた。そのため、従来のファクシミリ装置は、電話回線のインピーダンスと整合をとっていることが多い。しかし、ＶｏＩＰアダプターのインピーダンスは様々である。ファクシミリ装置とＶｏＩＰアダプターのインピーダンスの差が大きい場合がある。ＶｏＩＰアダプターを用いる場合、大きなエコー信号が生じ易くなる。
【００１０】
従来、エコー信号対策としては、画像信号用モードにした後、一定時間内に受信した制御信号を無視することが行われていた。電話回線を使用する場合、この対策が有効であることが多い。しかし、ネットワーク回線では、パケットロスにより制御信号の欠損が発生する場合がある。制御信号の欠損が発生した場合、相手機から制御信号の再送が行われて、自機がこの再送された制御信号に対する応答を行う必要がある。従って、ＶｏＩＰアダプターを用いる場合、一定時間内に受信した制御信号を無視するだけでは、ファクシミリ通信を正常に終了できない場合がある。
【００１１】
特許文献１記載の技術は、エコー信号が画像信号の前に到達した場合のみ有効である。
エコー信号が画像信号と重なった場合、第１信号（ＤＣＳ信号）との信号レベルを比較することができない。エコー信号が重畳した画像信号を正しい画像信号として受信することがある。また、レベルが比較できないので、場合によっては、画像信号用モードで制御信号が来たと判定し、モデムのモードを制御信号用モードに切り替える可能性がゼロではない。従って、エコー信号による問題を十分に解決できない。
【００１２】
本発明は、上記の問題点に鑑み、ＶｏＩＰ環境でエコー信号が発生しても、正常にファクシミリ通信を行えるようにする。
【課題を解決するための手段】
【００１３】
上記課題解決のため、本発明に係るファクシミリ装置は、通信部、制御部を含む。前記通信部は、ファクシミリ通信を行うためのモデムを含み、送信側ファクシミリ装置と信号の送受信を行う。前記制御部は、前記通信部を制御する。前記モデムは、第１モードと第２モードの何れかのモードで動作する。前記第１モードは、前記ファクシミリ通信における予め定められた制御信号の送受信で用いられるモードである。前記第２モードは、画像信号の送受信で用いられるモードである。前記通信部が前記制御信号の一種であるＣＦＲ信号を前記送信側ファクシミリ装置に送信したとき、前記制御部は、前記通信部がエコー対策信号を前記送信側ファクシミリ装置から受信するまで、前記モデムを前記第１モードで維持する。前記エコー対策信号は、前記ＣＦＲ信号の受信と前記画像信号の送信開始を知らせる前記制御信号の一種であって前記モデムが前記第１モードのときに受信可能な信号である。前記通信部が前記送信側ファクシミリ装置からの前記エコー対策信号を受信したとき、前記制御部は、前記モデムを前記第２モードとする。
【発明の効果】
【００１４】
本発明によれば、ＶｏＩＰ環境でエコー信号と信号の欠損が発生しても、正常にファクシミリ通信を行うことができる。エコー信号と信号の欠損の両方の影響を除外して、正常にファクシミリ通信することができる。
【図面の簡単な説明】
【００１５】
【図１】実施形態に係るファクシミリ通信システムの一例を示す図である。
【図２】実施形態に係る送信側ファクシミリ装置の一例を示す図である。
【図３】実施形態に係る受信側ファクシミリ装置の一例を示す図である。
【図４】実施形態に係るエコー対策信号を用いるファクシミリ通信の流れの一例を示す図である。
【図５】実施形態に係るエコー対策信号を用いるファクシミリ通信の流れの一例を示す図である。
【図６】実施形態に係るエコー対策信号を用いないファクシミリ通信の流れの一例を示す図である。
【図７】実施形態に係る第２ＮＳＳ信号の一例を示す図である。
【図８】実施形態に係る第２ＮＳＳ信号の一例を示す図である。
【発明を実施するための形態】
【００１６】
以下、図１〜図８を用いて、本発明の実施形態に係るファクシミリ通信システム１００を説明する。以下の説明では、送信側ファクシミリ装置１と受信側ファクシミリ装置２が複合機である場合を説明する。但し、本実施の形態に記載される構成、配置等の各要素は、発明の範囲を限定するものではなく単なる説明例にすぎない。
【００１７】
（ファクシミリ通信システム１００の概要）
まず、図１を用いて、実施形態に係るファクシミリ通信システム１００の一例を説明する。図１は、実施形態に係るファクシミリ通信システム１００の一例を示す図である。
【００１８】
図１に示すファクシミリ通信システム１００は、送信側ファクシミリ装置１と受信側ファクシミリ装置２を含む。送信側ファクシミリ装置１と受信側ファクシミリ装置２は複合機である。複合機は複数の機能を併せ持つ。例えば、各ファクシミリ装置は、ファクシミリ通信機能、印刷機能、スキャン送信機能を有する。各ファクシミリ装置は、ＩＴＵ−Ｔ勧告Ｔ．３０の規格に準拠して通信を行う。送信側ファクシミリ装置１は、読み取りで得た原稿の画像データに基づく画像信号（画像データ）を、受信側ファクシミリ装置２に送信する。受信側ファクシミリ装置２はこれを受信する。
【００１９】
送信側ファクシミリ装置１は、送信側ＶｏＩＰアダプター３と接続される。受信側ファクシミリ装置２は、受信側ＶｏＩＰアダプター４と接続される。各ＶｏＩＰアダプターは、ＶｏＩＰ技術を用いて、ネットワーク５（インターネット）を利用して、ファクシミリ通信を可能にするアダプターである。
【００２０】
送信側ＶｏＩＰアダプター３は、送信側ファクシミリ装置１から送信された信号（音声信号）をデータ（パケット）に変換する。送信側ＶｏＩＰアダプター３は、変換したデータを受信側ＶｏＩＰアダプター４に送信する。受信側ＶｏＩＰアダプター４は、受信したデータを送信側ファクシミリ装置１が送信した信号の波形に戻す。受信側ＶｏＩＰアダプター４は、波形を戻した信号を受信側ファクシミリ装置２に入力する。
【００２１】
また、受信側ＶｏＩＰアダプター４は、受信側ファクシミリ装置２から送信された信号（音声信号）をデータ（パケット）に変換する。受信側ＶｏＩＰアダプター４は、変換したデータを送信側ＶｏＩＰアダプター３に送信する。送信側ＶｏＩＰアダプター３は、受信したデータを受信側ファクシミリ装置２が送信した信号の波形に戻す。送信側ＶｏＩＰアダプター３は、波形を戻した信号を送信側ファクシミリ装置１に入力する。
【００２２】
なお、送信側ファクシミリ装置１を受信側ファクシミリ装置２として用いることができる。また、受信側ファクシミリ装置２を送信側ファクシミリ装置１として用いることもできる。送信側と受信側の動作は異なるので、説明の便宜上、画像信号を送信する装置を送信側ファクシミリ装置１と称する。画像信号を受信する装置を受信側ファクシミリ装置２と称する。送信側と受信側のファクシミリ装置は、同じ機種でもよいし、異なる機種でもよい。また、各ファクシミリ装置はファクシミリ通信専用機でもよい。
【００２３】
（送信側ファクシミリ装置１）
次に、図２を用いて、実施形態に係る送信側ファクシミリ装置１の一例を説明する。図２は、実施形態に係る送信側ファクシミリ装置１の一例を示す図である。
【００２４】
送信側ファクシミリ装置１は、送信側制御部１０、送信側記憶部１１、送信側操作パネル１２、送信側読取部１３、送信側印刷部１４、送信側通信部１５を含む。送信側制御部１０は、ＣＰＵ１０ａや、画像処理回路１０ｂを含む。ＣＰＵ１０ａは、送信側記憶部１１に記憶される制御用のプログラムやデータに基づき、演算や制御を行う。画像処理回路１０ｂは、受信側ファクシミリ装置２に送信する画像データ（画像信号）を生成できる。送信側記憶部１１は、ＲＯＭ、フラッシュＲＯＭ、ＲＡＭ、ＨＤＤを含む。送信側制御部１０は、送信側操作パネル１２、送信側読取部１３、送信側印刷部１４、送信側通信部１５の動作を制御する。
【００２５】
送信側操作パネル１２は、表示パネル１２ａ、タッチパネル１２ｂ、ハードキー１２ｃを含む。表示パネル１２ａは、メッセージや設定用画面を表示する。タッチパネルは表示パネル１２ａに対して設けられる。使用者は、タッチパネル１２ｂとハードキー１２ｃを用いて、ファクシミリ送信に関する設定を行える。例えば、宛先、送信サイズを設定することができる。送信側操作パネル１２はファクシミリ送信の設定を受け付ける。
【００２６】
送信側読取部１３は、原稿を読み取り、原稿の画像データを生成する。送信側読取部１３は、搬送される原稿や、原稿台にセットされた原稿を読み取る。送信側印刷部１４は、給紙部１４ａ、用紙搬送部１４ｂ、画像形成部１４ｃ、定着部１４ｄを含む。印刷のとき、送信側制御部１０は、給紙部１４ａに給紙を行わせる。送信側制御部１０は、機内で用紙を用紙搬送部１４ｂに搬送させる。送信側制御部１０は、トナー像の形成と用紙へのトナー像の転写を画像形成部１４ｃに行わせる。送信側制御部１０は、用紙へのトナー像の定着を定着部１４ｄに行わせる。
【００２７】
また、送信側制御部１０と送信側通信部１５は接続される。送信側制御部１０は送信側通信部１５の通信処理を制御する。送信側通信部１５は受信側ファクシミリ装置２と通信を行う回路である。送信側通信部１５は、受信側ファクシミリ装置２に画像信号（画像データ、メッセージ）を送信する（ファクシミリ送信）。また、送信側通信部１５は、コンピューターや他のファクシミリ装置からのデータも受信できる。受信したデータに基づき、送信側制御部１０は送信側印刷部１４に印刷を行わせる（プリンター機能、ファクシミリ受信機能）。また、送信側通信部１５は送信側モデム１６を含む。送信側モデム１６は複数のモードを有する（詳細は後述）。
【００２８】
（受信側ファクシミリ装置２）
次に、図３を用いて、実施形態に係る受信側ファクシミリ装置２の一例を説明する。図３は、実施形態に係る受信側ファクシミリ装置２の一例を示す図である。
【００２９】
受信側ファクシミリ装置２は、受信側制御部２０、受信側記憶部２１、受信側操作パネル２２、受信側読取部２３、受信側印刷部２４、受信側通信部２５を含む。受信側制御部２０は、ＣＰＵ２０ａや、画像処理回路２０ｂを含む。ＣＰＵ２０ａは、受信側記憶部２１に記憶される制御用のプログラムやデータに基づき、演算や制御を行う。画像処理回路２０ｂは、他のファクシミリ装置に送信する画像データ（画像信号）を生成できる。受信側記憶部２１は、ＲＯＭ、フラッシュＲＯＭ、ＲＡＭ、ＨＤＤを含む。受信側制御部２０は、受信側操作パネル２２、受信側読取部２３、受信側印刷部２４、受信側通信部２５の動作を制御する。
【００３０】
受信側操作パネル２２は、表示パネル２２ａ、タッチパネル２２ｂ、ハードキー２２ｃを含む。表示パネル２２ａは、メッセージや設定用画面を表示する。タッチパネルは表示パネル２２ａに対して設けられる。使用者は、タッチパネル２２ｂとハードキー２２ｃを用いて、ファクシミリ送信に関する設定を行える。例えば、宛先、送信サイズを設定することができる。受信側操作パネル２２もファクシミリ送信の設定を受け付け得る。
【００３１】
受信側読取部２３は、原稿を読み取り、原稿の画像データを生成する。受信側読取部２３は、搬送される原稿や、原稿台にセットされた原稿を読み取る。受信側印刷部２４は、給紙部２４ａ、用紙搬送部２４ｂ、画像形成部２４ｃ、定着部２４ｄを含む。印刷のとき、受信側制御部２０は、給紙部２４ａに給紙を行わせる。受信側制御部２０は、機内で用紙を用紙搬送部２４ｂに搬送させる。受信側制御部２０は、トナー像の形成と用紙へのトナー像の転写を画像形成部２４ｃに行わせる。受信側制御部２０は、用紙へのトナー像の定着を定着部２４ｄに行わせる。
【００３２】
また、受信側制御部２０と受信側通信部２５は接続される。受信側制御部２０は受信側通信部２５の通信処理を制御する。受信側通信部２５は、送信側ファクシミリ装置１と通信を行う回路である。受信側通信部２５は、送信側ファクシミリ装置１からの画像信号（画像データ、メッセージ）を受信する（ファクシミリ受信）。また、受信側通信部２５は、コンピューターや他のファクシミリ装置からのデータを受信できる。受信したデータに基づき、受信側制御部２０は受信側印刷部２４に印刷を行わせる（プリンター機能、ファクシミリ受信）。また、受信側通信部２５は受信側モデム２６を含む。受信側モデム２６は複数のモードを有する（詳細は後述）。
【００３３】
（ファクシミリ通信の流れ）
次に、図４〜図６を用いて、実施形態に係るファクシミリ通信システム１００でのファクシミリ通信の基本的な流れを説明する。図４、図５は、実施形態に係るエコー対策信号を用いるファクシミリ通信の流れの一例を示す図である。図６は、実施形態に係るエコー対策信号を用いないファクシミリ通信の流れの一例を示す図である。
【００３４】
ＶｏＩＰアダプターとファクシミリ装置のインピーダンスがマッチングしていないことがある。例えば、ＶｏＩＰアダプターの出力インピーダンスと、ファクシミリ装置の入力インピーダンスとの差が大きい場合がある。インピーダンスの不整合があると、信号の反射が生ずる。インピーダンスの不整合により反射した信号（エコー信号）が、ファクシミリ通信に影響を与えるほどの大きさとなることがある。
【００３５】
従来、画像信号用モードにした後（後述の第２モード）、一定時間内に受信した制御信号を無視する（エコー信号をやり過ごす）ことで、エコー信号に対処していた。一方、ネットワーク５（インターネット）回線は、ベストエフォート型のものがある。電話回線を用いてファクシミリ通信するときとは、エコー信号の到達時点がずれる。例えば、電話回線を用いるときよりも、エコー信号が遅れて到達することがある。ＶｏＩＰ環境下では、従来のエコー信号に対する対処では、不十分な場合がある。
【００３６】
そこで、実施形態に係る送信側ファクシミリ装置１と受信側ファクシミリ装置２は、エコー対策機能を有する。送信側ファクシミリ装置１と受信側ファクシミリ装置２は、通信の過程でエコー対策機能に対応しているか否かを確認しあう。各ファクシミリ装置がエコー対策機能に対応している場合、送信側ファクシミリ装置１と受信側ファクシミリ装置２は、エコー対策信号をやりとりする。このやりとりにより、エコー信号があっても、各ファクシミリ装置は、正確、正常にファクシミリ通信を行う。
【００３７】
以下、図４、図５を用いて、送信側ファクシミリ装置１と受信側ファクシミリ装置２が、エコー対策信号をやりとりするファクシミリ通信の流れの一例を説明する。ここで、以下のファクシミリ通信の伝送において、送信側ＶｏＩＰアダプター３と受信側ＶｏＩＰアダプター４は、電話回線における交換機として機能する。送信側通信部１５は、ネットワーク５を介して、信号を送信側ＶｏＩＰアダプター３に入力する。送信側ＶｏＩＰアダプター３は、データ化した信号を受信側ＶｏＩＰアダプター４に送信する。受信側ＶｏＩＰアダプター４はデータ化された信号を復元する。受信側ＶｏＩＰアダプター４は復元した信号を受信側通信部２５に入力する。また、受信側通信部２５は、信号を受信側ＶｏＩＰアダプター４に入力する。受信側ＶｏＩＰアダプター４は、ネットワーク５を介して、データ化した信号を送信側ＶｏＩＰアダプター３に送信する。送信側ＶｏＩＰアダプター３はデータ化された信号を復元する。送信側ＶｏＩＰアダプター３は復元した信号を送信側通信部１５に入力する。
【００３８】
まず、送信側操作パネル１２は、受信側ファクシミリ装置２を宛先にする設定を受け付ける。設定後、送信側操作パネル１２は、ファクシミリの送信開始指示を受け付ける。送信開始指示に基づき、送信側制御部１０は、受信側ファクシミリ装置２に向けて、ＣＮＧ信号（Ｃａｌｌｉｎｇ  Ｔｏｎｅ）を送信側通信部１５に送信させる。ＣＮＧ信号は発呼トーン信号である。ＣＮＧ信号は、自分がファクシミリ装置であることを通知するための信号である（ステップ♯１）。
【００３９】
受信側通信部２５がＣＮＧ信号を受信したとき、受信側制御部２０は、送信側通信部１５に向けて、ＣＥＤ信号を受信側通信部２５に送信させる（ステップ♯２）。ＣＥＤ信号は、被呼側が送信する応答信号である。ＣＥＤ信号は、送信側ファクシミリ装置１に、ファクシミリ通信を行えることを伝えるための信号である。
【００４０】
続いて、受信側制御部２０は、送信側通信部１５に向けて、ＮＳＦ信号（Ｎｏｎ−Ｓｔａｎｄａｒｄ  Ｆａｃｉｌｉｔｉｅｓ）、ＤＩＳ信号（Ｄｉｇｉｔａｌ  Ｉｄｅｎｔｉｆｉｃａｔｉｏｎ  Ｓｉｇｎａｌ）、ＣＳＩ信号（Ｃａｌｌｅｄ  Ｓｕｂｓｃｒｉｂｅｒ  Ｉｄｅｎｔｉｆｉｃａｔｉｏｎ）を受信側通信部２５に送信させる（ステップ♯３）。ＮＳＦ信号は、受信側ファクシミリ装置２が有する機能であって、ＩＴＵ−Ｔ勧告で非標準の機能を知らせる信号である。受信側制御部２０は、ＮＳＦ信号を用いて、エコー対策機能を有すること（エコー対策信号に対応していること）を通知する。受信側制御部２０は、ＮＳＦ信号のうち、エコー対策機能を有することを知らせるためのビットを１にする。
【００４１】
ＤＩＳ信号は、ＩＴＵ−Ｔ勧告の標準機能で受信側ファクシミリ装置２が持つ機能（受信能力）を送信側ファクシミリ装置１に知らせる信号である。例えば、受信側ファクシミリ装置２は、ＤＩＳ信号により、モデムの通信速度、記録紙の幅、対応する圧縮方式を送信側ファクシミリ装置１に知らせる。ＣＳＩ信号は、被呼端末を識別するため情報を送信するための信号である。ＣＳＩ信号は、例えば、受信側ファクシミリ装置２で登録されたファクシミリ番号である。
【００４２】
次に、送信側制御部１０は、受信側通信部２５に向けて、第１ＮＳＳ信号（Ｎｏｎ−Ｓｔａｎｄａｒｄ  ｆａｃｉｌｉｔｉｅｓ  Ｓｅｔ−ｕｐ）、ＴＳＩ信号（Ｔｒａｎｓｍｉｔｔｉｎｇ  Ｓｕｂｓｃｒｉｂｅｒ  Ｉｄｅｎｔｉｆｉｃａｔｉｏｎ）、ＤＣＳ信号（Ｄｉｇｉｔａｌ  Ｃｏｍｍａｎｄ  Ｓｉｇｎａｌ）を受信側通信部２５に送信させる（ステップ♯４）。第１ＮＳＳ信号は、ＩＴＵ−Ｔ勧告で非標準の機能を用いることを知らせる信号である。第１ＮＳＳ信号は、非標準機能の使用を受信側ファクシミリ装置２に設定させるための信号である。送信側制御部１０は、第１ＮＳＳ信号を用いて、エコー対策機能を用いること（エコー対策信号に対応すべきこと）を受信側ファクシミリ装置２に指示する。送信側制御部１０は、第１ＮＳＳ信号のうち、エコー対策機能の使用を指示するためのビットを１にする。
【００４３】
ＴＳＩ信号は、送信端末を識別するため情報を受信側ファクシミリ装置２に通知するための信号である。ＴＳＩ信号は、例えば、送信側ファクシミリ装置１で予め登録されたファクシミリ番号である。ＤＣＳ信号は、受信したＤＩＳ信号に応じて送信条件を受信側ファクシミリ装置２に命令する信号である。言い換えると、ＤＣＳ信号は、実際に利用する機能を受信側ファクシミリ装置２に伝える信号である。例えば、送信側ファクシミリ装置１は、ＤＩＳ信号により、画像信号送信時の通信速度、送信する画像信号（記録紙）の幅、用いる圧縮方式を送信側ファクシミリ装置１に知らせる。
【００４４】
続いて、送信側制御部１０は、受信側通信部２５に向けて、ＴＣＦ信号（Ｔｒａｉｎｉｎｇ  Ｃｈｅｃｋ）を送信側通信部１５に送信させる（ステップ♯５）。ＴＣＦ信号はＤＣＳ信号で伝えた速度で通信できるか否かのトレーニングのための信号である。
【００４５】
受信側通信部２５がＴＣＦ信号を受信したとき、受信側制御部２０は、トレーニング結果（ＴＣＦ信号の受信結果）に基づき、受信側通信部２５で画像信号を受信できるか否かを確認する。言い換えると、受信側制御部２０は、正しくＴＣＦ信号を受信できたか否かを確認する。受信側通信部２５で画像信号を受信できると判定したとき、受信側制御部２０は、送信側通信部１５に向けて、ＣＦＲ信号（Ｃｏｎｆｉｒｍａｔｉｏｎ  Ｔｏ  Ｒｅｃｅｉｖｅ）を受信側通信部２５に送信させる（ステップ♯６）。ＣＦＲ信号は、受信側通信部２５で画像信号を受信できるレベルであることを送信側ファクシミリ装置１に通知する信号である。
【００４６】
ＣＦＲ信号を受信したとき、送信側制御部１０は、受信側通信部２５に向けて、第２ＮＳＳ信号６（Ｎｏｎ−Ｓｔａｎｄａｒｄ  ｆａｃｉｌｉｔｉｅｓ  Ｓｅｔ−ｕｐ）を送信側通信部１５に送信させる（ステップ♯７、図７、図８参照）。第２ＮＳＳ信号６がエコー対策信号である。第２ＮＳＳ信号６はＩＴＵ−Ｔ勧告で非標準の信号である。送信側ファクシミリ装置１と受信側ファクシミリ装置２は、第２ＮＳＳ信号６を用いる通信に対応している。
【００４７】
第２ＮＳＳ信号６の送信後、送信側制御部１０は受信側通信部２５に向け画像信号（画像データ、メッセージデータ）を送信側通信部１５に送信させる（ステップ♯８）。全ページの送信が完了すると、送信側制御部１０は、受信側通信部２５に向けてＥＯＰ信号（Ｅｎｄ  Ｏｆ  Ｐｒｏｃｅｄｕｒｅ）を送信側通信部１５に送信させる（ステップ♯９）。
【００４８】
ＥＯＰ信号を受信したとき、受信側制御部２０は、送信側通信部１５に向けて、ＭＣＦ信号（Ｍｅｓｓａｇｅ  Ｃｏｎｆｉｒｍａｔｉｏｎ）を受信側通信部２５に送信させる。ＭＣＦ信号は正常受信を知らせる信号である。最後に、送信側制御部１０は、受信側通信部２５に向けて、ＤＣＮ信号（Ｄｉｓｃｏｎｎｅｃｔ）を送信側通信部１５に送信させる。ＤＣＮ信号は回線切断を指示する信号である。ＤＣＮ信号の送受信により、ファクシミリ通信が終了する。
【００４９】
ここで、送信側モデム１６と受信側モデム２６は、いずれも第１モードと第２モードを有する。第１モードは、ＩＴＵ−Ｔ勧告Ｖ．２１に準拠したモードである。第１モードでの通信速度は、３００ｂｐｓである。予め定められた制御信号（バイナリコード）は、第１モードで伝送される。上記の信号のうち、制御信号は、ＣＥＤ信号、ＮＳＦ信号、ＤＩＳ信号、ＣＳＩ信号、第１ＮＳＳ信号、ＴＳＩ信号、ＤＣＳ信号、ＣＦＲ信号、第２ＮＳＳ信号６、ＥＯＰ信号、ＭＣＦ信号、ＤＣＮ信号である。第１モードで送受信すべき信号の種類が予め定められている。
【００５０】
一方、第２モードは、ＩＴＵ−Ｔ勧告Ｖ．１７又はＶ．２９に準拠したモードである。ＩＴＵ−Ｔ勧告Ｖ．１７での通信速度は、例えば、１４４００ｂｐｓである。第２モードでの通信速度は、例えば、１４４００ｂｐｓ（ＩＴＵ−Ｔ勧告Ｖ．１７）や９６００ｂｐｓ（ＩＴＵ−Ｔ勧告Ｖ．２９）である。第２モードは、画像信号（画像データ、メッセージ）を高速に送信するためのモードである。モデムがどの規格に対応しているかにより、Ｖ．１７とＶ．２９の何れに準拠するかが決まる。送信側モデム１６と受信側モデム２６の両方がＩＴＵ−Ｔ勧告Ｖ．１７に対応している場合、送信側制御部１０は、送信側モデム１６をＩＴＵ−Ｔ勧告Ｖ．１７に準拠したモードに設定する。受信側モデム２６がＩＴＵ−Ｔ勧告Ｖ．１７に対応しておらず、Ｖ．２９にのみ対応している場合、送信側制御部１０は、送信側モデム１６をＩＴＵ−Ｔ勧告Ｖ．２９に準拠したモードとする。
【００５１】
そして、ＴＣＦ信号（トレーニング信号）と画像信号は、第２モードで伝送される。言い換えると、第２モードで送受信すべき信号の種類が予め定められている。第１モードの通信速度は第２モードよりも遅い。第２モードの通信速度は第１モードよりも速い。
【００５２】
図４、図５において、ファクシミリ通信のシーケンス中の送信側モデム１６と受信側モデム２６のモードを図示している。
【００５３】
まず、送信側モデム１６でのモードの切り替えの一例を説明する。まず、送信側制御部１０は、送信側モデム１６を第１モードとする。送信側制御部１０は、ＣＥＤ信号、ＮＳＦ信号、ＣＳＩ信号、ＤＩＳ信号を第１モードで送信側通信部１５（送信側モデム１６）に受信させる。また、送信側制御部１０は、第１ＮＳＳ信号、ＴＳＩ信号、ＤＣＳ信号を第１モードで送信側通信部１５（送信側モデム１６）に送信させる。第１ＮＳＳ信号、ＴＳＩ信号、及び、ＤＣＳ信号の送信後、送信側制御部１０は、送信側モデム１６を第２モードとする。第２モードになってから、送信側制御部１０は、ＴＣＦ信号（トレーニング信号）を送信させる。ＴＣＦ信号（トレーニング信号）の送信を完了したとき、送信側制御部１０は、ＣＦＲ信号の受信のため、送信側モデム１６を第１モードとする。ＣＦＲ信号の受信後、第２ＮＳＳ信号６を送信すると、送信側制御部１０は、送信側モデム１６を第２モードとする。第２モードとした後、送信側制御部１０は、画像信号を送信側モデム１６に送信させる。画像信号の送信後、送信側制御部１０は、送信側モデム１６を第１モードに戻す。そして、ＥＯＰ信号、ＭＣＦ信号、ＤＣＮ信号をやりとりする。
【００５４】
次に、受信側モデム２６でのモードの切り替えの一例を説明する。まず、ＣＮＧ信号を受けると、受信側制御部２０は、受信側モデム２６を第１モードとする。受信側制御部２０は、送信側通信部１５に向けて、ＣＥＤ信号、ＮＳＦ信号、ＣＳＩ信号、ＤＩＳ信号を受信側通信部２５（受信側モデム２６）に送信させる。また、受信側制御部２０は、第１ＮＳＳ信号、ＴＳＩ信号、ＤＣＳ信号を第１モードで受信側通信部２５（受信側モデム２６）に受信させる。第１ＮＳＳ信号、ＴＳＩ信号、及び、ＤＣＳ信号を受信すると、ＴＣＦ信号（トレーニング信号）に備え、受信側制御部２０は、受信側モデム２６を第２モードとする。ＴＣＦ信号（トレーニング信号）の受信後、受信側制御部２０は、ＣＦＲ信号の送信のため、受信側モデム２６を第１モードとする。ＣＦＲ信号の受信後、第２ＮＳＳ信号６を受信するまで、受信側制御部２０は、受信側モデム２６を第１モードで維持する。第２ＮＳＳ信号６を受信すると、画像信号の受信に備え、受信側制御部２０は、受信側モデム２６を第２モードとする。受信側制御部２０は、第２モードで画像信号を受信側モデム２６に受信させる。画像信号の送信後、受信側制御部２０は、受信側モデム２６を第１モードに戻す。そして、ＥＯＰ信号、ＭＣＦ信号、ＤＣＮ信号をやりとりする。
【００５５】
従来のファクシミリ通信（通常のファクシミリ通信）では、ＣＦＲ信号を送信したファクシミリ装置は、直ちに、モデムをＩＴＵ−Ｔ勧告Ｖ．１７又はＶ．２９に準拠したモードに切り替えていた。画像信号の受信に備えるためである。また、送信側は、ＣＦＲ信号を受信すると、直ちに画像信号の送信を開始していた。
【００５６】
一方で、ＩＴＵ−Ｔ勧告Ｖ．１７又はＶ．２９に準拠したモードで、ＩＴＵ−Ｔ勧告Ｖ．２１に準拠する信号を受信した場合、モデムをＩＴＵ−Ｔ勧告Ｖ．２１に準拠したモードに切り替えることがファクシミリ通信規格で定められている。そして、受信側通信部２５（受信側モデム２６）は、ＣＦＲ信号のエコー信号７を受信することがある。ＣＦＲ信号のエコー信号７を受信すると、Ｖ．２１の信号を受信するために、モデムのモードをＩＴＵ−Ｔ勧告Ｖ．２１に準拠したモードに切り変えることがある。この場合、モデムのモードがあっていないので、送信されてくる画像信号を受信できない。
【００５７】
そこで、ファクシミリ通信システム１００では、第２ＮＳＳ信号６（エコー対策信号）を用いる。エコー対策信号はＣＦＲ信号の受信と画像信号の送信開始を知らせる制御信号の一種である。第２ＮＳＳ信号６はモデムが第１モードのときに受信可能な信号である。
【００５８】
送信側制御部１０は、ＣＦＲ信号を受信すると、受信側通信部２５に向けて、第２ＮＳＳ信号６を送信させる。また、受信側制御部２０は、受信側通信部２５が第２ＮＳＳ信号６（エコー対策信号）を送信側ファクシミリ装置１から受信するまで、モデムを第１モードで維持する。受信側通信部２５が送信側ファクシミリ装置１からの第２ＮＳＳ信号６を受信したとき、受信側制御部２０は、受信側モデム２６を第２モードとする。受信側制御部２０がＣＦＲ信号のエコー信号７を検知することによって、自動的に受信側モデム２６のモードが第１モードに戻ることを無くす又は減らすことができる。
【００５９】
また、ＶｏＩＰ環境では、パケットロスによって、ＣＦＲ信号が到着しないことがある。ファクシミリ通信規格では、ＴＣＦ信号（トレーニング信号）の送信後、予め定められた時間内にＣＦＲ信号を受信できないとき、送信側は、第１ＮＳＳ信号、ＴＳＩ信号、ＤＣＳ信号、ＴＣＦ信号（トレーニング信号）を再送することが決まっている。図５において、ステップ♯６−２がＣＦＲ信号の喪失を示す。図５のステップ♯４−２、ステップ♯５−２が送信側ファクシミリ装置１による再送処理を示す。ステップ♯６−２は、受信側ファクシミリ装置２によるＣＦＲ信号の再送を示す。
【００６０】
従来のファクシミリ装置は、ＣＦＲ信号を送信すると、受信側は、モデムのモードをＩＴＵ−Ｔ勧告Ｖ．１７又はＶ．２９に準拠したモード（画像信号通信用のモード）としていた。一方、ＣＦＲ信号が失われたとき、第１ＮＳＳ信号、ＴＳＩ信号、ＤＣＳ信号が再送される。画像信号通信用のモードでは、第１ＮＳＳ信号、ＴＳＩ信号、ＤＣＳ信号を受信できない。そのため、再送される信号であって、ＩＴＵ−Ｔ勧告Ｖ．２１に準拠したモードで受信すべき信号を正しく受信できないことがあった。
【００６１】
本実施形態の受信側ファクシミリ装置２では、ＣＦＲ信号の送信後、第２ＮＳＳ信号６を受信するまで、受信側モデム２６のモードは、第１モードで維持される。そのため、受信側通信部２５（受信側モデム２６）は、ＣＦＲ信号のタイムアウトにより再送された制御信号を正しく受信できる。
【００６２】
なお、エコー対策信号を伝送する場合、互いのファクシミリ装置がエコー対策機能に対応している必要がある。エコー対策機能を有しているか否かの確認が必要である。受信側制御部２０は、ＮＳＦ信号によりエコー対策信号に対応していることを受信側通信部２５に通知させる。第１ＮＳＳ信号にエコー対策を取るべき指示が含まれているとき、受信側通信部２５は、ＣＦＲ信号の送信後、第２ＮＳＳ信号６の受信までの第１モードの維持を実行する。相手型がエコー対策機能に対応している場合にのみ、受信側ファクシミリ装置２はエコー対策機能を用いる。
【００６３】
また、送信側制御部１０は、ＮＳＦ信号に基づき、受信側がエコー対策信号に対応しているか否かを判定する。受信側ファクシミリ装置２がエコー対策信号に対応していると判定した場合、ＣＦＲ信号を受信したとき、送信側制御部１０は、第２ＮＳＳ信号６を送信側通信部１５に送信させる。送信側制御部１０は、エコー対策信号の送信後に画像信号の送信を送信側通信部１５に行わせる。相手型がエコー対策機能に対応している場合にのみ、送信側ファクシミリ装置１はエコー対策機能を用いる。
【００６４】
送信側と受信側の両方のファクシミリ装置がエコー対策機能に対応していないとき、通常のファクシミリ通信が行われる。図６は、通常のファクシミリ通信（一方のファクシミリ装置がエコー対策機能に対応していないときの通信）でやりとりされる信号とモデムのモードの切り替わりの一例を示す。この場合、第２ＮＳＳ信号６の伝送は行われない。送信側の装置がエコー対策信号に対応していない場合、受信側制御部２０は、ＣＦＲ信号の送信後、受信側モデム２６のモードを直ちに第１モードからー第２モードに切り替える。また、受信側の装置がエコー対策信号に対応していない場合、送信側制御部１０は、ＣＦＲ信号の受信後、第２ＮＳＳ信号６を送信せずに、相手方のファクシミリ装置に向けて、画像信号の送信を送信側通信部１５に開始させる。
【００６５】
（第２ＮＳＳ信号６）
次に、図７、図８を用いて、実施形態に係る第２ＮＳＳ信号６の一例を示す図である。図７、図８は、実施形態に係る第２ＮＳＳ信号６の一例を示す図である。
【００６６】
図７に示すように、送信側制御部１０は、ＣＦＲ信号よりも長い第２ＮＳＳ信号６（エコー対策信号）を生成する。送信側制御部１０は、ＣＦＲ信号よりも長い第２ＮＳＳ信号６を送信側通信部１５に送信させる。
【００６７】
第２ＮＳＳ信号６は、フラグデータ６１を含む。フラグデータ６１は、第２ＮＳＳ信号６がＮＳＳ信号の一種であることを示すデータである。例えば、フラグデータ６１は、０ｘ７Ｅである。２進数でいえば、フラグデータ６１は、０１１１１１１０である。
【００６８】
送信側制御部１０は、第２ＮＳＳ信号６に予め定められたパターンのビット列である特定データ６０を含ませる。送信側制御部１０は、エコー対策信号の先頭と末尾のそれぞれに特定データ６０を付す。図７、図８に示すように、先頭のフラグデータ６１の前側と、末尾のフラグデータ６１の後側に特定データ６０を付すことができる。特定データ６０のビットパターンは、ＣＦＲ信号に用いられないビットパターンとすることができる。例えば、特定のデータは、３個連続の０ｘ５５のデータとできる。２進数で言えば、「０１０１０１０１」の３回繰り返しである。
【００６９】
フラグデータ６１とフラグデータ６１の間のデータは、適宜定めることができる。送信側制御部１０は、フラグデータ６１とフラグデータ６１の間を、第１ＮＳＳ信号で埋めることができる。この場合、先に伝送されたデータを再利用できる。２つのフラグデータ６１の間を埋めるためのデータを生成する必要がない。
【００７０】
このように、第２ＮＳＳ信号６をＣＦＲ信号よりも長くする。さらに、特定データ６０が第２ＮＳＳ信号６の先頭と末尾に付加される。これにより、ＣＦＲ信号のエコー信号７と第２ＮＳＳ信号６が重なっても、受信側制御部２０は、第２ＮＳＳ信号６を受信したことを認識できる。
【００７１】
図８のうち、最も上の図は、第２ＮＳＳ信号６の一例を示す。図８のうち、２段目の図は、第２ＮＳＳ信号６とＣＦＲ信号のエコー信号７が重畳している状態の一例を示す。２段目の図では、ＣＦＲ信号のエコー信号７を網掛けで示している。
【００７２】
図８の２段目の図は、第２ＮＳＳ信号６の先頭ビットと、ＣＦＲ信号のエコー信号７の先頭ビットが重なっている状態である。２段目の図のように、ＣＦＲ信号のエコー信号７の全てが第２ＮＳＳ信号６と重なっても、受信側制御部２０は、第２ＮＳＳ信号６の末尾の特定データ６０に基づき、第２ＮＳＳ信号６を受信したと認識できる。
【００７３】
図８の３段目の図は、第２ＮＳＳ信号６の末尾のビットと、ＣＦＲ信号のエコー信号７の末尾のビットが重なっている状態である。３段目の図でも、ＣＦＲ信号のエコー信号７を網掛けで示している。３段目の図のように、ＣＦＲ信号のエコー信号７の全てが第２ＮＳＳ信号６と重なっても、受信側制御部２０は、第２ＮＳＳ信号６の先頭の特定データ６０に基づき、第２ＮＳＳ信号６を受信したと認識できる。
【００７４】
このようにして、実施形態に係るファクシミリ装置（受信側ファクシミリ装置２）は、受信側通信部２５（通信部）、受信側制御部２０（制御部）を含む。受信側通信部２５は、ファクシミリ通信を行うための受信側モデム２６（モデム）を含み、送信側ファクシミリ装置１と信号の送受信を行う。受信側制御部２０は、受信側通信部２５を制御する。受信側モデム２６は、第１モードと第２モードの何れかのモードで動作する。第１モードは、ファクシミリ通信における予め定められた制御信号の送受信で用いられるモードである。第２モードは、画像信号の送受信で用いられるモードである。受信側通信部２５が制御信号の一種であるＣＦＲ信号を送信側ファクシミリ装置１に送信したとき、受信側制御部２０は、受信側通信部２５がエコー対策信号（第２ＮＳＳ信号６）を送信側ファクシミリ装置１から受信するまで、受信側モデム２６を第１モードで維持する。エコー対策信号は、ＣＦＲ信号の受信と画像信号の送信開始を知らせる制御信号の一種であって受信側モデム２６が第１モードのときに受信可能な信号である。受信側通信部２５が送信側ファクシミリ装置１からのエコー対策信号を受信したとき、受信側制御部２０は、受信側モデム２６を第２モードとする。
【００７５】
エコー対策信号の受信により、受信側制御部２０は、送信側ファクシミリ装置１がＣＦＲ信号を受信したことを認識することができる。また、受信側制御部２０は、ＣＦＲ信号の受信により送信側ファクシミリ装置１が画像信号の送信を開始することを知ることができる。画像信号の送信開始が確定してから、受信側制御部２０は、受信側受信側モデム２６のモードを第２モード（画像信号用モード）に切り替えられる。エコー信号が発生しても、エコー信号が重畳していない画像信号（正しい画像信号）を受信することができる。ＶｏＩＰアダプターを用いていて、エコー信号が発生していても、問題なくファクシミリ通信を行うことができる。
【００７６】
また、ＣＦＲ信号が失われる場合がある。呼びかけ（ＴＣＦ信号（トレーニング信号））から一定期間内にＣＦＲ信号を受信できない場合、送信側ファクシミリ装置１が制御信号（例えば、第１ＮＳＳ信号）を再送する（画像信号の送信は開始されない）。受信側制御部２０は、受信側通信部２５がエコー対策信号を送信側ファクシミリ装置１から受信するまで、受信側モデム２６を第１モードで維持する。受信側通信部２５は、再送された制御信号をそのまま（ミス無く）受信できる。
【００７７】
ＣＦＲ信号を送信してからエコー対策信号を受信する前に、送信側ファクシミリ装置１から再送された制御信号を受信側通信部２５（通信部）が受信したとき、受信側制御部２０（制御部）は、送信側ファクシミリ装置１に向けて、ＣＦＲ信号を受信側通信部２５に再送させる。送信側ファクシミリ装置１から再送された制御信号に対する返信として、ＣＦＲ信号を再送することができる。
【００７８】
エコー対策信号は、予め定められたパターンのビット列である特定データ６０を含む。送信側ファクシミリ装置１へのＣＦＲ信号の送信後、受信側通信部２５（通信部）が特定データ６０を受信したとき、受信側制御部２０（制御部）は、エコー対策信号を受信したと判定する。受信側制御部２０は、エコー対策信号を受信したか否かを正確に判定することができる。受信側モデム２６のモードの切り替え時点を正確に判断することができる。
【００７９】
受信側制御部２０（制御部）は、ＣＦＲ信号の送信前に、送信側ファクシミリ装置１に向けて、エコー対策信号に対応していることを受信側通信部２５（通信部）に通知させる。受信側通信部２５がエコー対策を取るべき指示を送信側ファクシミリ装置１から受信したとき、ＣＦＲ信号の送信後、受信側通信部２５がエコー対策信号を受信するまで、受信側制御部２０は受信側通信部２５のモードを第１モードで維持する。受信側通信部２５が送信側ファクシミリ装置１からエコー対策を取るべき指示を受信しないとき、受信側制御部２０はＣＦＲ信号の送信後、直ちに受信側モデム２６のモードを第２モードにする。受信側ファクシミリ装置２は、エコー対策信号に対応していることを送信側ファクシミリ装置１に知らせることができる。送信側ファクシミリ装置１がエコー対策信号に対応している場合、エコー対策信号を用いたファクシミリ通信を行うことができる。送信側ファクシミリ装置１がエコー対策信号に対応していない場合、エコー対策信号を用いないファクシミリ通信（通常のファクシミリ通信）を行うことができる。
【００８０】
送信側ファクシミリ装置１は、送信側通信部１５（通信部）、送信側制御部１０（制御部）を含む。送信側通信部１５は、受信側ファクシミリ装置２と信号の送受信を行う。送信側制御部１０は送信側通信部１５を制御する。送信側通信部１５が受信側ファクシミリ装置２からＣＦＲ信号を受信したとき、送信側制御部１０は、受信側ファクシミリ装置２に向けて、エコー対策信号を送信側通信部１５に送信させる。送信側制御部１０は、エコー対策信号を送信してから画像信号の送信を送信側通信部１５に開始させる。エコー対策信号は、ＣＦＲ信号の受信と画像信号の送信開始を知らせる制御信号の一種である。
【００８１】
エコー対策信号を送信することにより、ＣＦＲ信号を受信したこと受信側ファクシミリ装置２に知らせることができる。また、ＣＦＲ信号の受信により、送信側ファクシミリ装置１は、画像信号の送信開始を受信側ファクシミリ装置２に知らせることができる。受信側モデム２６のモードを第２モード（画像信号用モード）に切り替えるべきことを知らせることができる。受信側ファクシミリ装置２に画像信号を正確に受信させることができる。ＶｏＩＰアダプターを用いていて、受信側ファクシミリ装置２にエコー信号が入力されても、問題なくファクシミリ通信を行うことができる。
【００８２】
送信側制御部１０（制御部）は、ＣＦＲ信号よりも長いエコー対策信号を送信側通信部１５（通信部）に送信させる。ＣＦＲ信号のエコー信号７は、画像信号の送受信のエラーの原因となり得る。ＣＦＲ信号のエコー信号７はＣＦＲ信号と同じ長さである。ＣＦＲ信号よりもエコー対策信号を長くすることができる。エコー対策信号の長さを、ＣＦＲ信号のエコー信号７で潰されない長さとすることができる。ＣＦＲ信号のエコー信号７とエコー対策信号が重畳しても、受信側ファクシミリ装置２は、一部が改変されていないエコー対策信号を受信できる。エコー対策信号の受信を受信側ファクシミリ装置２に気づかせることができる。
【００８３】
送信側制御部１０（制御部）はエコー対策信号に予め定められたパターンのビット列である特定データ６０を含ませる。受信側ファクシミリ装置２は受信した信号がエコー対策信号であることを容易に認識できる。受信側モデム２６のモードを切り替えるべき時点を知らせることができる。
【００８４】
送信側制御部１０（制御部）は、エコー対策信号の先頭と末尾のそれぞれに特定データ６０を付す。エコー対策信号にエコー信号が重畳しても、先頭又は末尾部分の特定データ６０部分に基づき、受信側ファクシミリ装置２は受信した信号がエコー対策信号であることを容易に認識できる。
【００８５】
送信側制御部１０（制御部）は、受信側ファクシミリ装置２との通信に基づき、受信側ファクシミリ装置２がエコー対策信号に対応しているか否かを判定する。受信側ファクシミリ装置２がエコー対策信号に対応していると判定した場合、ＣＦＲ信号を受信したとき、送信側制御部１０は、エコー対策信号を送信側通信部１５に送信させ、エコー対策信号の送信後に画像信号の送信を送信側通信部１５（通信部）に行わせる。受信側ファクシミリ装置２がエコー対策信号に対応していないと判定した場合、送信側通信部１５がＣＦＲ信号を受信したとき、送信側制御部１０は、エコー対策信号を送信せずに、受信側ファクシミリ装置２に向けて、画像信号の送信を送信側通信部１５に開始させる。受信側ファクシミリ装置２がエコー対策信号に対応している場合、エコー対策信号を用いたファクシミリ通信を行うことができる。受信側ファクシミリ装置２がエコー対策信号に対応していない場合、エコー対策信号を用いないファクシミリ通信（通常のファクシミリ通信）を行うことができる。受信側ファクシミリ装置２が理解できない信号を送信しないようにすることができる。
【００８６】
また、本発明は、ファクシミリ通信システム１００と捉えることもできる。ファクシミリ通信システム１００は、送信側ファクシミリ装置１と受信側ファクシミリ装置２と、を備える。送信側ファクシミリ装置１は、送信側通信部１５と送信側制御部１０を含む。送信側通信部１５は、受信側ファクシミリ装置２と信号の送受信を行う。送信側制御部１０は、送信側通信部１５を制御する。受信側ファクシミリ装置２は、受信側通信部２５、受信側制御部２０を含む。受信側通信部２５は、受信側モデム２６を含み、送信側ファクシミリ装置１と信号の送受信を行う。受信側制御部２０は、受信側通信部２５を制御する。受信側モデム２６は、第１モードと第２モードの何れかのモードで動作する。第１モードは、ファクシミリ通信における予め定められた制御信号の送受信で用いられるモードである。第２モードは、画像信号の送受信で用いられるモードである。送信側通信部１５が受信側通信部２５から送信された制御信号の一種であるＣＦＲ信号を受信したとき、送信側制御部１０は、受信側ファクシミリ装置２に向けて、エコー対策信号を送信側通信部１５に送信させる。送信側制御部１０は、エコー対策信号を送信してから画像信号の送信を送信側通信部１５に開始させる。受信側制御部２０は、ＣＦＲ信号の送信後、受信側通信部２５がエコー対策信号を送信側ファクシミリ装置１から受信するまで、受信側モデム２６のモードを第１モードで維持する。受信側通信部２５が送信側ファクシミリ装置１からエコー対策信号を受信したとき、受信側制御部２０は、受信側モデム２６を第２モードとする。エコー対策信号は、ＣＦＲ信号の受信と画像信号の送信開始を知らせる制御信号の一種であって受信側モデム２６が第１モードのときに受信可能な信号である。
【００８７】
本発明の実施形態を説明したが、本発明の範囲はこれに限定されるものではなく、発明の主旨を逸脱しない範囲で種々の変更を加えて実施することができる。
【産業上の利用可能性】
【００８８】
本発明はファクシミリ通信に利用可能である。
【符号の説明】
【００８９】
１００  ファクシミリ通信システム          １      送信側ファクシミリ装置
１０    送信側制御部（制御部）            １５    送信側通信部（通信部）
２      受信側ファクシミリ装置            ２０    受信側制御部（制御部）
２５    受信側通信部（通信部）            ２６    受信側モデム（モデム）
６      第２ＮＳＳ信号（エコー対策信号）  ６０    特定データ
７      エコー信号
【図１】
2019146005.tif 000003
【図２】
2019146005.tif 000004
【図３】
2019146005.tif 000005
【図４】
2019146005.tif 000006
【図５】
2019146005.tif 000007
【図６】
2019146005.tif 000008
【図７】
2019146005.tif 000009
【図８】
2019146005.tif 000010